(57)【要約】      （修正有）【課題】袋とじを破る楽しみが得られる電子書籍デバイスを提供する。【解決手段】電子袋とじ処理装置１は、格納部１１、出力部１２０、受付部１２１、袋とじ破り処理部１２２とを備える。格納部１１は袋とじ情報を格納する。袋とじ情報は、出力されるコンテンツと、コンテンツの全部または一部を覆い隠すように出力される隠蔽ページとを有する。出力部１２０は隠蔽ページを出力する。袋とじ破り処理部１２２は、受付部１２１が受け付けた電子的な袋とじを破る操作に応じて、隠蔽ページを除き、コンテンツ出力を行う。電子的な袋とじを破る処理を行う。【選択図】図２
2017130034.tif 000002
【特許請求の範囲】
【請求項１】
電子的な袋とじに関する情報であり、出力されるコンテンツと、当該コンテンツの全部または一部を隠蔽する隠蔽ページとを有する袋とじ情報を格納し得る格納部と、
前記隠蔽ページを出力する出力部と、
電子的な袋とじを破るための操作を受け付ける受付部と、
前記操作の受け付けに応じて、前記隠蔽ページを除く出力を行い、かつコンテンツを出力する袋とじ破り処理を実行する袋とじ破り処理部とを具備する電子袋とじ処理装置。
【請求項２】
書籍のページの少なくとも一部を撮影する撮影部と、
前記撮影部が撮影したページの少なくとも一部の画像に対応するコンテンツを取得する取得部とをさらに具備し、
前記袋とじ破り処理部は、前記撮影部が撮影したページの少なくとも一部に隠蔽ページを重ね合わせて出力した後、前記操作に応じて袋とじ破り処理を実行する請求項１記載の電子袋とじ処理装置。
【請求項３】
前記書籍は電子書籍であり、
前記袋とじ情報は前記電子書籍を構成する情報である請求項２記載の電子袋とじ処理装置。
【請求項４】
前記取得部は、２以上のコンテンツから１つのコンテンツを取得する請求項２または３記載の電子袋とじ処理装置。
【請求項５】
前記操作に応じて、前記隠蔽ページを除く出力に対応した音を出力する音出力部をさらに具備する請求項２から請求項４のいずれか一項に記載の電子袋とじ処理装置。
【請求項６】
前記取得部は、前記音を出力するための音情報を前記コンテンツと対に取得する請求項５記載の電子袋とじ処理装置。
【請求項７】
前記隠蔽ページを除く出力は、前記操作に応じて隠蔽ページが裂けていく出力である請求項１から請求項６のいずれか一項に記載の電子袋とじ処理装置。
【請求項８】
前記受付部は、一の袋とじ情報に対して、前記操作を複数回受け付けることが可能であり、
前記袋とじ破り処理部は、前記操作の受け付けの度に袋とじ破り処理を実行する請求項１から請求項７のいずれか一項に記載の電子袋とじ処理装置。
【請求項９】
前記袋とじ破り処理部は、袋とじ破り処理を実行した後、前記操作の受け付けに応じて隠蔽ページを再度出力する請求項１から請求項８のいずれか一項に記載の電子袋とじ処理装置。
【請求項１０】
前記袋とじ破り処理部がコンテンツを出力した回数を示す出力済み回数を計数する計数部をさらに具備し、
前記袋とじ破り処理部は、前記出力済み回数が予め決められた条件を満たす場合に袋とじ破り処理を実行する請求項１から請求項９のいずれか一項に記載の電子袋とじ処理装置。
【請求項１１】
前記出力済み回数は、１日にコンテンツを出力した回数を示す請求項１０記載の電子袋とじ処理装置。
【請求項１２】
傾きの変化を検知する検知部と、
前記検知部が検知した傾きの変化に応じて、前記隠蔽ページを変形させる出力を行い、かつ前記コンテンツの少なくとも一部を出力する袋とじチラ見処理を実行する袋とじチラ見処理部とをさらに具備する請求項１から請求項１１のいずれか一項に記載の電子袋とじ処理装置。
【請求項１３】
前記操作は、前記隠蔽ページを線状になぞる操作である請求項１から請求項１２のいずれか一項に記載の電子袋とじ処理装置。
【請求項１４】
格納部、出力部、受付部および袋とじ破り処理部によって行われる電子袋とじ処理方法であって、
前記格納部に、電子的な袋とじに関する情報であり、出力されるコンテンツと、当該コンテンツの全部または一部を隠蔽する隠蔽ページとを有する袋とじ情報が格納される格納ステップと、
前記出力部が前記隠蔽ページを出力する出力ステップと、
前記受付部が、電子的な袋とじを破るための操作を受け付ける受付ステップと、
前記袋とじ破り処理部が、前記操作の受け付けに応じて、隠蔽ページを除く出力を行い、かつコンテンツを出力する袋とじ破り処理を実行する袋とじ破り処理ステップとを含む電子袋とじ処理方法。
【請求項１５】
コンピュータを、
電子的な袋とじに関する情報であり、出力されるコンテンツと、当該コンテンツの全部または一部を隠蔽する隠蔽ページとを有する袋とじ情報が格納される格納部と、
前記隠蔽ページを出力する出力部と、
電子的な袋とじを破るための操作を受け付ける受付部と、
前記操作の受け付けに応じて、前記隠蔽ページを除く出力を行い、かつコンテンツを出力する袋とじ破り処理を実行する袋とじ破り処理部として機能させるためのプログラム。
【発明の詳細な説明】
【技術分野】
【０００１】
本発明は、特定の動作、例えば本や雑誌といった書籍に関連する動作を、コンピュータ等を利用して電子的に行う装置等に関する。
【背景技術】
【０００２】
従来、袋とじを有する本や雑誌等の書籍が販売されている。袋とじとは、書籍の一部のページの誌面が見えないように、当該ページの小口を、裁断しないままにしたり、糊付けしたりすること、または、そのようなページをいう。袋とじの中身を見たい読者は、書籍を購入し、わくわくしながら袋とじを破ることになる。
【０００３】
他方、特許文献１には、タッチディスプレイを利用した仮想ページめくりが行える電子書籍デバイスが記載されている。この仮想ページめくりは、ページの持ち上げられた部分を丸めて、そのページの裏側を徐々に見せつつ、次のページの表側を徐々に見せるものである。
【先行技術文献】
【特許文献】
【０００４】
【特許文献１】特表２０１２−５１４８１１号公報（第１頁、第１図等）
【発明の概要】
【発明が解決しようとする課題】
【０００５】
しかし、紙の書籍では、袋とじを破る楽しみは一度しか得られない。
【０００６】
また、上記電子書籍デバイスでも、現実感の高い頁めくりが行えるものの、袋とじを破る楽しみは得られない。
【０００７】
そこで、本発明は、電子的な袋とじを実現することができる電子袋とじ処理装置を提供することを目的とする。
【課題を解決するための手段】
【０００８】
本第一の発明の電子袋とじ処理装置は、電子的な袋とじに関する情報であり、出力されるコンテンツと、コンテンツの全部または一部を隠蔽する隠蔽ページとを有する袋とじ情報を格納し得る格納部と、隠蔽ページを出力する出力部と、電子的な袋とじを破るための操作を受け付ける受付部と、操作の受け付けに応じて、隠蔽ページを除く出力行い、かつコンテンツを出力する袋とじ破り処理を実行する袋とじ破り処理部とを具備する電子袋とじ処理装置である。
【０００９】
かかる構成により、電子的な袋とじを破る処理を行うことで、電子的な袋とじを実現することができる。
【００１０】
また、本第二の発明の電子袋とじ処理装置は、第一の発明に対して、書籍のページの少なくとも一部を撮影する撮影部と、撮影部が撮影したページの少なくとも一部の画像に対応するコンテンツを取得する取得部とをさらに具備し、袋とじ破り処理部は、撮影部が撮影したページの少なくとも一部に隠蔽ページを重ね合わせて出力した後、操作に応じて袋とじ破り処理を実行する電子袋とじ処理装置である。
【００１１】
かかる構成により、書籍のページを撮影すると、撮影されたページの少なくとも一部の画像に対応するコンテンツが取得されるので、例えば、撮影されたページの少なくとも一部にコンテンツを重ね合わせて出力するＡＲ技術を使用して、電子的な袋とじ破り処理が行える。
【００１２】
また、本第三の発明の電子袋とじ処理装置は、第二の発明に対して、書籍は電子書籍であり、袋とじ情報は電子書籍を構成する情報である電子袋とじ処理装置である。
【００１３】
かかる構成により、袋とじ情報を有する電子書籍において、電子的な袋とじを破る処理が行える。
【００１４】
また、本第四の発明の電子袋とじ処理装置は、第二または三の発明に対して、取得部は、２以上のコンテンツから１つのコンテンツを取得する電子袋とじ処理装置である。
【００１５】
かかる構成により、電子的な袋とじを破る度に異なるコンテンツを出力できるので、電子的な袋とじを破る楽しみが増す。
【００１６】
また、本第五の発明の電子袋とじ処理装置は、第二から第四のいずれか１つの発明に対して、操作に応じて、隠蔽ページを除く出力に対応した音を出力する音出力部をさらに具備する電子袋とじ処理装置である。
【００１７】
かかる構成により、音出力によって、電子的な袋とじを破る現実感が高まる。
【００１８】
また、本第六の発明の電子袋とじ処理装置は、第五の発明に対して、取得部は、音を出力するための音情報をコンテンツと対に取得する電子袋とじ処理装置である。
【００１９】
かかる構成により、電子的な袋とじを破る音を変えることで、新鮮味が増す。
【００２０】
また、本第七の発明の電子袋とじ処理装置は、第一から第六のいずれか１つの発明に対して、隠蔽ページを除く出力は、操作に応じて隠蔽ページが裂けていく出力である電子袋とじ処理装置である。
【００２１】
かかる構成により、電子的な袋とじを破る現実感が高まる。
【００２２】
また、本第八の発明の電子袋とじ処理装置は、第一から第七のいずれか１つの発明に対して、受付部は、一の袋とじ情報に対して、操作を複数回受け付け、袋とじ破り処理部は、操作の受け付けの度に袋とじ破り処理を実行する電子袋とじ処理装置である。
【００２３】
かかる構成により、電子的な袋とじを何度も破ることができる。
【００２４】
また、本第九の発明の電子袋とじ処理装置は、第一から第八のいずれか１つの発明に対して、袋とじ破り処理部は、袋とじ破り処理を実行した後、操作の受け付けに応じて隠蔽ページを再度出力する電子袋とじ処理装置である。
【００２５】
かかる構成により、電子的な袋とじを何度も破ることができる。
【００２６】
また、本第十の発明の電子袋とじ処理装置は、第一から第九のいずれか１つの発明に対して、袋とじ破り処理部がコンテンツを出力した回数を示す出力済み回数を計数する計数部をさらに具備し、袋とじ破り処理部は、出力済み回数が予め決められた条件を満たす場合に袋とじ破り処理を実行する電子袋とじ処理装置である。
【００２７】
かかる構成により、電子的な袋とじを破ける回数を、例えば“１日に１回だけ”、“１週に３回まで”、“通算１０回まで”などのように制限できる。
【００２８】
また、本第十一の発明の電子袋とじ処理装置は、第十の発明に対して、出力済み回数は、１日にコンテンツを出力した回数を示す電子袋とじ処理装置である。
【００２９】
かかる構成により、電子的な袋とじを破ける回数を、例えば“１日に１回だけ”、“１日に２回まで”などのように制限できる。
【００３０】
また、本第十二の発明の電子袋とじ処理装置は、第一から第十一のいずれか１つの発明に対して、傾きの変化を検知する検知部と、検知部が検知した傾きの変化に応じて、隠蔽ページを変形させる出力を行い、かつコンテンツの少なくとも一部を出力する袋とじチラ見処理を実行する袋とじチラ見処理部とをさらに具備する電子袋とじ処理装置である。
【００３１】
かかる構成により、例えば電子袋とじ処理装置を傾けると、隠蔽ページが変形してコンテンツの少なくとも一部が出力されるので、コンテンツのチラ見が可能になり、高い現実感が得られる。
【００３２】
また、本第十三の発明の電子袋とじ処理装置は、第一から第十二のいずれか１つの発明に対して、操作は、隠蔽ページを線状になぞる操作である電子袋とじ処理装置である。
【００３３】
かかる構成により、隠蔽ページを所定の線、例えばミシン目に沿ってなぞると、隠蔽ページがミシン目で裂けていく出力が行われるので、電子的な袋とじを破る現実感が高まる。
【発明の効果】
【００３４】
本発明によれば、電子的な袋とじを実現することができる。
【図面の簡単な説明】
【００３５】
【図１】実施の形態における情報処理システムの構成例を示す概念図
【図２】（Ａ）は同電子袋とじ処理装置１の機能ブロック図、（Ｂ）は同サーバ装置２の機能ブロック図
【図３】同電子袋とじ処理装置１の全体動作に関するフローチャート
【図４】同電子袋とじ処理装置１の一部動作（取得処理）に関するフローチャート
【図５】同電子袋とじ処理装置１の他の一部動作（袋とじチラ見処理）に関するフローチャート
【図６】同電子袋とじ処理装置１のその他の一部動作（袋とじ破り処理）に関するフローチャート
【図７】袋とじ情報に関するデータ構造図
【図８】出力済み回数に関するデータ構造図
【図９】同電子袋とじ処理装置１による出力例（袋とじ破り）を示す図
【図１０】同電子袋とじ処理装置１による他の出力例（袋とじチラ見）を示す図
【発明を実施するための形態】
【００３６】
以下、電子袋とじ処理装置等の実施形態について図面を参照して説明する。なお、実施の形態において同じ符号を付した構成要素は同様の動作を行うので、再度の説明を省略する場合がある。
【００３７】
図１は、本実施の形態における情報処理システムの構成例を示す概念図である。情報処理システムは、１または２以上の電子袋とじ処理装置１、サーバ装置２を備える。電子袋とじ処理装置１とサーバ装置２とは、例えばインターネットを介して通信可能に接続される。
【００３８】
電子袋とじ処理装置１は、通常、スマートフォンやタブレット端末やノートＰＣなどの携帯端末である。ただし、据え置き型の端末、例えばデスクトップＰＣでも実現可能であり、下記のようなハードウェアを有するものであれば、電子袋とじ処理装置１の種類は問わない。
【００３９】
サーバ装置２は、例えば、据え置き型のサーバであるが、下記のようなハードウェアを有するものであれば種類は問わない。
【００４０】
電子袋とじ処理装置１は、撮像素子１０１、ＭＰＵ１０２、メモリ１０３、ストレージ１０４、傾斜センサ１０５、入力デバイス１０６、出力デバイス１０７、無線通信モジュール１０８などを備える。
【００４１】
ただし、無線通信モジュール１０８は、予め備わっている（内蔵式である）必要はなく、後付け（外付け）でよい。
【００４２】
撮像素子１０１は、例えばＣＣＤやＣＭＯＳなどであるが、種類は問わない。ストレージ１０４は、例えば、内蔵式のフラッシュメモリや着脱式のメモリカードなどであるが、種類は問わない。傾斜センサ１０５は、例えばジャイロスコープや加速度センサなどであるが、傾きの変化（または傾き）を検知可能なセンサであれば種類は問わない。入力デバイス１０６は、例えば、タッチパネルや各種のキー・ボタンやマイクロフォンや各種の入出力インターフェース（ＵＳＢコネクタ等）などであるが、種類は問わない。出力デバイス１０７は、例えばディスプレイやスピーカーやヘッドホン端子や各種の入出力インターフェース（ＵＳＢコネクタ等）などであるが、種類は問わない。こうしたハードウェアは公知であり、説明を省略する。
【００４３】
撮像素子１０１、ＭＰＵ１０２、メモリ１０３、ストレージ１０４、傾斜センサ１０５、入力デバイス１０６、出力デバイス１０７は、バス１０９を介して無線通信モジュール１０８と接続される。無線通信モジュール１０８は、例えば、図示しない無線アクセスポイントを介してインターネットに接続される。
【００４４】
サーバ装置２は、ＭＰＵ２０１、メモリ２０２、ストレージ２０３、通信モジュール２０４などを備える。ストレージ２０３は、例えば、内蔵式のハードディスクやＳＳＤ、着脱式のメモリカードやディスク（光ディスク・磁気ディスク等）であるが、種類は問わない。こうしたハードウェアは公知であり、説明を省略する。
【００４５】
ＭＰＵ２０１、メモリ２０２、ストレージ２０３は、バス２０５を介して通信モジュール２０４と接続される。通信モジュール２０４は、例えば、図示しない有線または無線のアクセスポイントを介してインターネットに接続される。
【００４６】
図２（Ａ）は、電子袋とじ処理装置１の機能ブロック図である。電子袋とじ処理装置１は、格納部１１、処理部１２を備える。
【００４７】
格納部１１は、例えばストレージ１０４で、またはメモリ１０３とストレージ１０４とで実現される。
【００４８】
処理部１２は、受付部１２１、袋とじ破り処理部１２２、撮影部１２３、取得部１２４、音出力部１２５、計数部１２６、検知部１２７を備える。
【００４９】
処理部１２、受付部１２１、袋とじ破り処理部１２２、撮影部１２３、取得部１２４、音出力部１２５、計数部１２６、検知部１２７は、例えば、ＭＰＵ１０２、メモリ１０３およびその他のハードウェア（１０４〜１０９）と、メモリ１０３に格納されたソフトウェアとの協働により実現される。ただし、処理部１２等は、ハードウェアのみ（専用回路）で実現してもよい。なお、以下では、ＭＰＵ１０２およびメモリ１０３等を電子袋とじ処理装置１の“コンピュータ”、このコンピュータを処理部１２等として機能させるソフトウェアを電子袋とじ処理装置１用の“プログラム”（“アプリケーションプログラム”または“アプリ”）と呼ぶ場合がある。
【００５０】
前提として、格納部１１には、電子袋とじ処理装置１用のプログラムと、電子袋とじ処理装置１自身を識別する識別子である端末ＩＤ（または、電子袋とじ処理装置１用のプログラムを識別する識別子であるアプリＩＤでもよい）およびサーバ装置２を識別する識別子とが格納される。こうした識別子は、例えば、装置間で情報を送受信する際のアドレスとして用いられる。こうした識別子は、通常、ＩＰアドレス、ＭＡＣアドレスなどであるが、種類は問わない。なお、以下では特に言及しないが、装置間で送受信される情報には、通常、こうした識別子が送信元識別子または送信先識別子として付加される。
【００５１】
格納部１１は、袋とじ情報を格納し得る。
【００５２】
袋とじ情報は、出力されるコンテンツと、コンテンツの全部または一部を隠蔽する隠蔽ページとを有する。
【００５３】
コンテンツとは、一般に、媒体によって記録または伝送されるデジタル情報の総称である。この実施の形態でいうコンテンツは、例えば、カメラ等で記録された静止画、動画、コンピュータによるＣＧ、アニメーション等の各種の画像である。通常、画像には音声や文字が付随しているが、コンテンツは、画像のみでも、音声のみでも、文字のみでも構わない。コンテンツのタイプ、データ形式等は問わない。
【００５４】
コンテンツは、例えば、出力デバイス１０７を介して出力される。出力とは、主として、ディスプレイへの表示、およびスピーカーからの音出力であるが、これらに限らず、図示しない表示装置等の外部装置への送信、プリンタでの印字、記録媒体への蓄積、他の処理装置や他のプログラムなどへの処理結果の引渡しなどを含む概念である。
【００５５】
隠蔽ページとは、例えば、ディスプレイ上でコンテンツを覆い隠すように出力されるページをいう。
【００５６】
隠蔽ページは、通常、コンテンツの全部を覆い隠すが、一部のみを覆い隠してもよい。一部とは、例えば、少なくとも半分（つまり半分または半分以上）、８割または８割以上などであるが、割合は問わない。また、一部とは、例えば、上半分、中央部（つまり周縁以外の部分）などであるが、位置や形状は問わない。隠蔽ページは、コンテンツを隠す役割を果たす情報であれば、どのような情報でもよい。
【００５７】
隠蔽ページは、コンテンツとは別紙のように出力されても、コンテンツ（誌面）の裏面であるように出力されてもよい。隠蔽ページは、無地でも、図形や文字等を有していてもよい。隠蔽ページは、通常、不透明であるが、例えば、コンテンツの概要が透けて見える（詳細は判別できない）程度の透明度を有していても構わない。
【００５８】
袋とじ情報が有する隠蔽ページは、例えば、かかる隠蔽ページをディスプレイに出力するためのデータ、例えば画像データや図形データや文字データなどであるが、データのタイプは問わない。
【００５９】
袋とじ情報は、上記のようなコンテンツおよび隠蔽ページに加えて、音情報をさらに有していてもよい。また、袋とじ情報は、コンテンツの出力済み回数に関する条件をさらに有していてもよい。なお、音情報、出力済み回数およびそれに関する条件（以下、単に条件と記す場合がある）については後述する。
【００６０】
隠蔽ページは、袋とじ情報間で共通でもよいし、袋とじ情報毎に異なっていてもよい。音情報、条件もまた、袋とじ情報間で共通でもよいし、袋とじ情報毎に異なっていてもよい。
【００６１】
袋とじ情報は、例えば、本や雑誌といった紙の書籍の付録として、記録媒体に格納されて配布されたり、インターネットを通じて配信されたりしてもよいし、電子書籍の一部として提供されてもよい。
【００６２】
電子書籍とは、本や雑誌といった紙の書籍の情報をデジタル化し、タブレット端末等の電子機器のディスプレイ上で閲覧可能にしたコンテンツの総称である。前述した袋とじ情報が有するコンテンツは、このような電子書籍を構成するコンテンツの一部であってもよい。
【００６３】
電子書籍は、通常、目次情報、本文情報などで構成される。袋とじ情報は、こうした目次情報、本文情報などと共に、電子書籍を構成する情報であってもよい。
【００６４】
格納部１１は、かかる電子書籍をも格納し得る。
【００６５】
格納部１１は、後述する計数部１２６が計数した出力済み回数をも格納し得る。
【００６６】
なお、格納部１１に上記のような各種の情報が格納される過程（いつどのように記憶されるか）は問わない。例えば、着脱可能なメモリカード等の記録媒体を介して情報が格納部１１で記憶されるようになってもよく、通信回線等を介して送信された情報が格納部１１で記憶されるようになってもよく、あるいは、タッチパネル等の入力デバイス１０６を介して入力された情報が格納部１１で記憶されるようになってもよい。
【００６７】
処理部１２は、電子的な袋とじを実現するための各種の処理（後述）を行う。
【００６８】
電子的な袋とじとは、例えば、コンテンツの全部または一部を、隠蔽ページによって隠蔽することで、未出力状態に保つこと、または、そのようなコンテンツと隠蔽ページとの対をいう。
【００６９】
受付部１２１は、電子的な袋とじを破るための操作を、例えば入力デバイス１０７を介して受け付ける。
【００７０】
電子的な袋とじを破るための操作とは、例えば、隠蔽ページを線状になぞる操作であり、受付部１２１は、かかる操作を、例えばタッチパネルを介して受け付ける。
【００７１】
線状になぞる操作とは、例えば、隠蔽ページが有するミシン目に沿って直線状になぞる操作（スライド操作またはスワイプ操作）や、隠蔽ページを擦り取る（少しずつ消していく）ようにジグザグ線状もしくは渦巻き線状になぞる操作（スクラッチ操作）や、隠蔽ページを弾き飛ばすように素早く直線状になぞる操作（フリック操作）などである。
【００７２】
また、線状になぞる操作は、上記のような１本の指やペン先を用いた操作に限らず、例えば、隠蔽ページを引き裂くように２本の指を離しながらなぞる操作（ピンチアウト操作）や、隠蔽ページをつまむように２本の指を近づけながらなぞる操作（ピンチイン操作）であってもよい。
などである。
【００７３】
ただし、袋とじを破るための操作は、上記のようなタッチパネルを利用した操作に限らず、例えば、キーやボタンの押下操作などでもよい。
【００７４】
このように、袋とじを破るための操作の種類は問わないが、例えば、ボタンの押下操作が電子書籍等のページめくりの操作であったり、ピンチインまたはピンチアウトが表示の拡大または縮小の操作であったりする場合には、袋とじを破るための操作をこうした既存の操作とは異なる操作とすることが好ましい。
【００７５】
受付部１２１は、上記のような電子的な袋とじを破るための操作を、例えば、一の袋とじ情報に対して複数回受け付けてもよい。なお、以下では、電子的な袋とじを破るための操作を単に「操作」と記す場合がある。
【００７６】
袋とじ破り処理部１２２は、受付部１２１による操作の受け付けに応じて、袋とじ破り処理を実行する。袋とじ破り処理とは、隠蔽ページを除く出力を行い、かつコンテンツを出力する処理である。
【００７７】
隠蔽ページを除く出力とは、例えば、ディスプレイ上の隠蔽ページに、破る、めくる、剥がす、取り去る、弾き飛ばす等の動きを与えたり、フェードアウト等の効果を加えたりすることで、コンテンツの全部また一部が隠蔽ページで隠蔽された状態から、コンテンツの全部が露見した状態にするような出力である。
【００７８】
袋とじ破り処理部１２２は、撮影部１２３が撮影したページの少なくとも一部に隠蔽ページを重ね合わせて出力した後、操作に応じて袋とじ破り処理を実行してもよい。
【００７９】
袋とじ破り処理部１２２は、袋とじ破り処理を実行する際に、隠蔽ページが裂けていく出力を行ってもよい。
【００８０】
受付部１２１が、一の袋とじ情報に対して、操作を複数回受け付ける場合、袋とじ破り処理部１２２は、操作の受け付けの度に袋とじ破り処理を実行する。
【００８１】
その際、袋とじ破り処理部１２２は、袋とじ破り処理を実行した後、操作の受け付けに応じて隠蔽ページを再度出力する。
【００８２】
袋とじ破り処理部１２２は、出力済み回数が予め決められた条件を満たす場合に袋とじ破り処理を実行してもよい。出力済み回数は、例えば、後述する計数部１２６によって計数される。
【００８３】
出力済み回数とは、袋とじ破り処理部１２２がコンテンツを出力した回数を示す情報である。出力済み回数は、例えば、１日や１週間や１か月といった一定の期間にコンテンツを出力した回数でもよいし、期間を定めない通算の回数でもよい。
【００８４】
予め決められた条件とは、前述のように、コンテンツの出力済み回数に関する条件であり、例えば、“出力済み回数が所定回数未満である”、“今回出力した場合の出力済み回数が所定回数以下である（今回出力したとしても出力済み回数は所定回数を超えない）”などの条件である。
【００８５】
このような条件は、前述のように、袋とじ情報が有していてもよいし、または、袋とじ情報とは別の情報として格納部１１に格納されていてもよい。
【００８６】
撮影部１２３は、例えば、書籍のページの少なくとも一部を撮影する。
【００８７】
書籍は、前述のように、通常、紙の書籍でも、電子書籍でもよい。ページとは、紙の書籍のページでも、ディスプレイに出力された電子書籍のページでもよい。
【００８８】
撮影部１２３は、通常、撮像素子１０１でページを撮影するが、外付けのカメラ等で撮影してもよい。
【００８９】
取得部１２４は、撮影部１２３が撮影したページの少なくとも一部の画像に対応するコンテンツを取得する。
【００９０】
取得とは、サーバ装置２等の外部装置からの受信、ストレージ１０４等の記録媒体からの読み出しなどを含む概念である。
【００９１】
すなわち、取得部１２４は、例えば、無線通信モジュール１０８およびインターネットを介してサーバ装置２からコンテンツを取得（受信）してもよいし、または、格納部１１からコンテンツを取得（読出）してもよい。
【００９２】
画像とは、例えば、所定の図形や文字、あるいはそれらを組み合わせて構成されたマーカーである。マーカーは、例えば、ＱＲコード（登録商標）、バーコード、特定の文字列、絵、図柄、ロゴマークなどであるが、コンピュータが認識可能なマーカーであれば種類は問わない。
【００９３】
格納部１１には、かかるマーカーが格納されており、処理部１２は、格納部１１に格納されているマーカーとの類似度を基に、撮影部１２３が撮像した画像を認識する。
【００９４】
画像は、２以上のマーカーのうち１つのマーカーでもよい。
【００９５】
すなわち、マーカーは、通常、書籍の１つのページに１つだけ印刷または表示されるが、異なる複数のマーカーが、同じ１つのページに、または複数のページに分けて、印刷または表示されてもよい。
【００９６】
処理部１２による画像の認識処理は、マーカーの有無の判別、さらには、２以上のマーカーのうちどのマーカーかの判別に関する処理を含む。かかる処理は公知であり、説明を省略する。
【００９７】
画像が２以上のマーカーのうち１つのマーカーである場合、取得部１２４は、２以上のマーカーそれぞれに対応する２以上のコンテンツから、１つのコンテンツ、つまり処理部１２が認識したマーカーに対応するコンテンツを取得する。
【００９８】
ただし、マーカーとコンテンツとは、上記のように１対１に対応しているとは限らず、例えば、１つのマーカーに２以上のコンテンツが対応付いていてもよい。
【００９９】
この場合、取得部１２４は、処理部１２が認識した１つのマーカーに対応する２以上のコンテンツから、１つのコンテンツを取得する。処理部１２が同じ１つのマーカーを繰り返し認識した場合、取得部１２４は、例えば、前回とは異なるコンテンツを取得する。ただし、前回と同じコンテンツを取得してもよい。
【０１００】
取得部１２４は、さらに、前述した隠蔽ページをコンテンツと対に取得してもよい。
【０１０１】
取得部１２４は、さらに、前述したコンテンツの出力済み回数に関する条件をコンテンツと対に取得してもよい。
【０１０２】
取得部１２４は、さらに、後述する音情報をコンテンツと対に取得してもよい。
【０１０３】
すなわち、取得部１２４は、例えば、無線通信モジュール１０８およびインターネットを介してサーバ装置２から、コンテンツと対に、隠蔽ページ、音声情報、条件を取得（受信）してもよいし、または、格納部１１から、コンテンツと対に、隠蔽ページ、音声情報、条件を取得（読出）してもよい。
【０１０４】
取得部１２４は、通常、コンテンツと共に、当該コンテンツに対応する隠蔽ページ（さらには、当該コンテンツに対応する条件、当該コンテンツまたは当該隠蔽ページに対応する音情報）を取得するが、コンテンツだけを取得し、隠蔽ページ等については、先に取得したもの（格納部１１に格納されている既存の隠蔽ページ等）を流用しても構わない。
【０１０５】
取得部１２４が取得したコンテンツと、既存の隠蔽ページ等または取得部１２４が当該コンテンツと対に取得した隠蔽ページ等とで、格納部１１に格納されるべき袋とじ情報が構成される。
【０１０６】
こうして格納部１１に格納された袋とじ情報は、袋とじ破り処理部１２２が上述のような袋とじ処理を行う際に利用される。
【０１０７】
音出力部１２５は、前述した操作（電子的な袋とじを破る操作）に応じて、音を出力する。
【０１０８】
音は、隠蔽ページを除く出力に対応した音が好適である。隠蔽ページを除く出力に対応した音とは、例えば、隠蔽ページを破る音（隠蔽ページが裂けていく音）、隠蔽ページをめくる音、隠蔽ページを剥がす音、隠蔽ページを取り去る音（削り取る音、擦り取る音等）、隠蔽ページを弾き飛ばす音などである。ただし、音は、例えば、チャイム音、楽曲等の音でもよく、音の種類は問わない。
【０１０９】
操作が、前述したような隠蔽ページを線状になぞる操作である場合、音出力部１２５は、例えば、操作の開始から終了までの期間、上記のような音を出力してもよい。
【０１１０】
または、音出力部１２５は、隠蔽ページを除く出力が継続している期間（例えば、隠蔽ページが裂け始めてから裂け終わるまでの期間）、上記のような音を出力してもよい。
【０１１１】
音出力部１２５は、前述のようにして取得部１２４が取得した音情報を基に、上記のような音を出力する。
【０１１２】
音情報とは、音出力部１２５が上記のような音を出力するための情報である。例えば、隠蔽ページを破る音（隠蔽ページが裂けていく音）の音情報は、紙のページを破る音をマイク等で収録したりシンセサイザー等で合成したりすることにより得られる。
【０１１３】
計数部１２６は、袋とじ破り処理部１２２がコンテンツを出力した回数、つまり前述した出力済み回数を計数する。
【０１１４】
計数部１２６は、１または２以上のコンテンツそれぞれについて出力済み回数を計数する。
【０１１５】
格納部１１には、コンテンツを識別するコンテンツＩＤと出力済み回数との対の集合が格納される。出力済み回数は、例えば、本日の出力済み回数、通算の出力済み回数などを含む。本日の出力済み回数は、コンテンツが所定時刻（例えば本日の午前零時）から現在時刻までに出力された回数を示す。通算の出力済み回数は、コンテンツが現在までに出力された回数を示す。
【０１１６】
処理部１２は、格納部１１に格納されている出力済み回数を、計数部１２６による計数の度に更新する。
【０１１７】
処理部１２は、現在時刻が所定時刻（例えば午前零時）になる度に、本日の出力済み回数を“０”にリセットする。
【０１１８】
処理部１２は、格納部１１に格納されているコンテンツＩＤと出力済み回数との対を、例えば、同じく格納部１１に格納されている端末ＩＤまたはアプリＩＤと共に、無線通信モジュール１０８を介してサーバ装置２に送信してもよい。かかる送信処理は、通常、出力済み回数が上記のようにして更新またはリセットされる度に実行される。
【０１１９】
検知部１２７は、例えば、電子袋とじ処理装置１自身の傾きの変化を、傾斜センサ１０５の出力を基に検知する。傾きの変化の検知方法は公知であり、説明を省略する。
【０１２０】
袋とじチラ見処理部１２８は、検知部１２７が検知した傾きの変化に応じて、袋とじチラ見処理を実行する。袋とじチラ見処理とは、傾きの変化に応じて、隠蔽ページを変形させる出力を行い、かつコンテンツの少なくとも一部を出力する処理である。なお、少なくとも一部とは、コンテンツの一部のみが見えている場合のほか、コンテンツの全部がぼんやり（または、霞んで、暗く、うっすら）見えている場合なども含む。
【０１２１】
変形とは、例えば、隠蔽ページの全体的な湾曲や、袋とじの開口部（ページの天地）に相当する部分のめくれなど、コンテンツの少なくとも一部を一時的に露見させるための可逆的な変形である。ただし、変形は、不可逆的な変形でもよく、変形の態様は問わない。
【０１２２】
変形させる出力とは、ディスプレイ上の隠蔽ページに、例えば、ページ全体が筒状に湾曲したり、ページの天地部分がめくれあがったりする動きを与えて、隠蔽ページで隠蔽されているコンテンツの少なくとも一部が、湾曲やめくれにより生じた隙間からチラリと見えている状態にするような出力である。
【０１２３】
袋とじチラ見処理部１２８は、上記のような隠蔽ページを変形させる出力と共に、隠蔽ページを斜めに傾ける（回転させる）出力を行ってもよい。これにより、隠蔽ページの変形量を抑制しながら、背後のコンテンツがチラリと見えている状態にできるので、電子的な袋とじの中をチラ見する現実感が高まる。
【０１２４】
上記のような変形させる出力や回転させる出力は、隠蔽ページに対してのみ行われても、コンテンツに対してのみ行われても、隠蔽ページおよびコンテンツの両方に対して行われてもよい。
【０１２５】
図２（Ｂ）は、サーバ装置２の機能ブロック図である。サーバ装置２は、サーバ格納部２１、サーバ処理部２２を備える。
【０１２６】
サーバ格納部２１は、例えばストレージ２０３で、またはメモリ２０２とストレージ２０３とで実現される。
【０１２７】
サーバ処理部２２は、例えば、ＭＰＵ２０１、メモリ２０２およびその他のハードウェア（２０３〜２０５）と、メモリ２０２に格納されたソフトウェアとの協働により実現される。ただし、サーバ処理部２２等は、ハードウェアのみ（専用回路）で実現してもよい。なお、以下では、ＭＰＵ２０１およびメモリ２０２等をサーバ装置２の“コンピュータ”、このコンピュータをサーバ処理部２２等として機能させるソフトウェアをサーバ装置２用の“プログラム”と呼ぶ場合がある。
【０１２８】
前提として、サーバ格納部２１には、サーバ装置２用のプログラムと、サーバ装置２自身を識別する識別子や、１または２以上の電子袋とじ処理装置１それぞれを識別する１または２以上の識別子とが格納される。こうした識別子については前述したので、説明を繰り返さない。
【０１２９】
サーバ格納部２１は、電子袋とじ処理装置１が処理を行うのに必要な各種の情報を格納し得る。各種の情報とは、例えば、上述したコンテンツ、隠蔽ページ、音情報および条件（あるいは、これらコンテンツと隠蔽ページ等とで構成された袋とじ情報）、マーカーとコンテンツとの対応関係を示す対応表、コンテンツと隠蔽ページ、音情報および条件との対応関係を示す対応表などである。
【０１３０】
サーバ格納部２１には、それぞれの電子袋とじ処理装置１でのコンテンツの出力済み回数（端末ＩＤまたはアプリＩＤに対応付いた、コンテンツＩＤと出力済み回数との対の集合）がさらに格納されてもよい。
【０１３１】
なお、サーバ格納部２１に上記のような情報が格納される過程（いつどのように記憶されるか）は問わない。例えば、着脱可能なディスク等の記録媒体を介して情報がサーバ格納部２１で記憶されるようになってもよく、外部装置から通信回線等を介して送信された情報がサーバ格納部２１で記憶されるようになってもよく、あるいは、キーボード等の入力デバイスを介して入力された情報がサーバ格納部２１で記憶されるようになってもよい。
【０１３２】
サーバ処理部２２は、電子袋とじ処理装置１からの要求に応じて、サーバ格納部２１から情報を取得し、取得した情報を電子袋とじ処理装置１に送信する。
【０１３３】
電子袋とじ処理装置１は、例えば、上記のようにしてサーバ装置２から送信された情報を受信して格納部１１に蓄積することで、前述したような袋とじ処理を実行することが可能になる。
【０１３４】
また、サーバ処理部２２は、電子袋とじ処理装置１から前述のようにして送信されたコンテンツＩＤと出力済み回数との対の集合、および当該対の集合と共に送信された端末ＩＤまたはアプリＩＤを、例えば通信モジュール２０４を介して受信し、受信したコンテンツＩＤと出力済み回数との対の集合を、受信した端末ＩＤまたはアプリＩＤにさらに対応付けて、サーバ格納部２１に蓄積してもよい。
【０１３５】
これにより、サーバ装置２が、それぞれの電子袋とじ処理装置１でのコンテンツの出力回数を把握することができる。
【０１３６】
次に、情報処理システムの動作について、図３〜図６のフローチャートと、図７および図８のデータ構造とを用いて説明する。なお、前述のものと重複する説明は、省略する場合がある。
【０１３７】
図３〜図６は、電子袋とじ処理装置１の動作を示すフローチャートである。図３が全体動作を示し、図４〜図６は一部動作（取得処理、袋とじチラ見処理および袋とじ破り処理）の詳細を示している。
【０１３８】
図７は、サーバ格納部２１および／または格納部１１に格納される対応表の一例であり、この対応表が、袋とじ情報のデータ構造を示している。
【０１３９】
図８は、計数部１２６によって計数された出力済み回数に関するデータ構造図である。
【０１４０】
図３〜図６のフローチャートに従う処理は、例えば、電子袋とじ処理装置１の電源オンまたはソフトウェアの起動に応じて開始し、電源オフまたはソフトウェアの終了または他の処理の割り込みといった終了イベントの発生に応じて終了する。
【０１４１】
サーバ装置２のサーバ格納部２１には、予め、図７の対応表と、当該対応表に登録されている各種のＩＤに対応するマーカーおよび袋とじ情報（コンテンツ、隠蔽ページ、音情報および条件）とが格納されているとする。
【０１４２】
他方、この電子袋とじ処理装置１の格納部１１には、処理の開始時、例えば、図７の対応表の少なくとも一部（マーカーＩＤ“Ｍ１”，“Ｍ２”，…等）と、当該対応表に登録されている各種のＩＤに対応するマーカー等と、図８の出力済み回数とが格納されているとする。
【０１４３】
なお、図７の対応表は、前述した２つの対応表、つまり、マーカーとコンテンツとの対応関係を示す対応表（第一対応表）と、コンテンツと隠蔽ページ（さらには音情報、条件）との対応関係を示す対応表（第二対応表）とを、一体化したものである。この対応表に代えて、第一対応表と第二対応表とが別々に格納されてよいのは言うまでもない。
【０１４４】
対応表には、１または２以上のマーカーＭ１，Ｍ２，…を識別するマーカーＩＤ“Ｍ１，Ｍ２，…”と、マーカーＭ１に対応するコンテンツＣ１を識別するコンテンツＩＤ“Ｃ１”と、マーカーＭ２に対応する２以上のコンテンツＣ２ａ，Ｃ２ｂ，…を識別するコンテンツＩＤ“Ｃ２ａ”，“Ｃ２ｂ”，…とが登録されている。
【０１４５】
また、対応表には、２以上のコンテンツＣ１，Ｃ２ａ，Ｃ２ｂ，…それぞれに対応する隠蔽ページを識別する隠蔽ページＩＤ“Ｈ１”，“Ｈ２ａ”，“Ｈ２ｂ”，…と、同じく２以上のコンテンツＣ１，Ｃ２ａ，Ｃ２ｂ，…それぞれに対応する音情報を識別する音情報ＩＤ“Ｍ１”，“Ｍ２ａ”，“Ｍ２ｂ”，…と、同じく２以上のコンテンツＣ１，Ｃ２ａ，Ｃ２ｂ，…それぞれに対応する条件を識別する条件ＩＤ“Ｎ１”，“Ｎ２ａ”，“Ｎ２ｂ”，…とがさらに登録されている。
【０１４６】
他方、出力済み回数は、本日の出力済み回数および通算の出力済み回数を含み、対応表に登録されているコンテンツＩＤと、当該コンテンツＩＤに対応するコンテンツが出力された日時を示す出力日時とに対応付いている。
【０１４７】
例えば、電子袋とじ処理装置１側の対応表にコンテンツＩＤ“Ｃ１”が登録されている場合、格納部１１には、当該コンテンツＣ１の出力済み回数“２回／本日，２回／通算”が、出力日時“２０１６／１／５  ２２：５５，２０１６／１／５  １０：１０”と対にして格納される。“２回／本日，２回／通算”は、コンテンツＣ１が本日２回出力され、通算２回出力されたことを示す。“２０１６／１／５  ２２：５５，２０１６／１／５  １０：１０”は、１回目の出力の日時が２０１６年１月５日２２時５５分であり、２回目の出力が２０１６年１月５日１０時１０分であること示している。
【０１４８】
出力済み済み回数は、例えば、毎日午前０時に、初期値“０回”にリセットされる。
【０１４９】
（ステップＳ３０１）撮影部１２３が、撮像素子１０１による撮影を開始し、かつ、検知部１２７が、傾斜センサ１０５による傾きの変化の検知を開始する。
【０１５０】
（ステップＳ３０２）処理部１２は、撮影されたページをディプレイに出力する。
【０１５１】
（ステップＳ３０３）処理部１２は、撮影されたページの少なくとも一部の画像が、格納部１１に格納されているいずれかのマーカーと一致（または一致とみなし得るほど類似）しているか否かを判別する。
【０１５２】
撮影されたページの少なくとも一部の画像が、格納部１１に格納されているいずれかのマーカーと一致（または一致とみなし得るほど類似）していると判別された場合はステップＳ３０３に進み、一致とも類似とも判別されなかった場合はステップＳ３０２に戻る。
【０１５３】
（ステップＳ３０４）処理部１２は、当該マーカーに対応するコンテンツが取得済みか否かを、例えば、格納部１１に格納されている対応表（図７参照）を基に判別する。
【０１５４】
当該マーカーに対応するコンテンツが取得済みであると判別さたれ場合はステップＳ３０６に進み、取得済みではないと判別された場合はステップＳ３０５に進む。
【０１５５】
（ステップＳ３０５）取得部１２４が、当該コンテンツ（および当該コンテンツに対応する隠蔽ページ等）を取得する処理（取得処理）を実行する。なお、取得処理の詳細については後述する。取得処理の実行後、ステップＳ３０６に進む。
【０１５６】
（ステップＳ３０６）袋とじ破り処理部１２２が、撮影されたページに重ねて、当該コンテンツに対応する隠蔽ページをディプレイに出力する。
【０１５７】
（ステップＳ３０７）処理部１２は、検知部１２７が傾きの変化を検知したか否かを判別する。
【０１５８】
検知部１２７が傾きの変化を検知した場合はステップＳ３０８に進み、検知していない場合はステップＳ３０９に進む。
【０１５９】
（ステップＳ３０８）袋とじ破り処理部１２２は、当該隠蔽ページを変形させる出力を行い、かつコンテンツの少なくとも一部を出力する処理（袋とじチラ見処理）を実行する。なお、袋とじチラ見処理の詳細については後述する。
【０１６０】
（ステップＳ３０９）処理部１２は、受付部１２１が袋とじを破る操作を受け付けたか否かを判別する。
【０１６１】
受付部１２１が袋とじを破る操作を受け付けた場合はステップＳ３１０に進み、受け付けていない場合はステップＳ３０６に戻る。
【０１６２】
（ステップＳ３１０）袋とじ破り処理部１２２は、当該隠蔽ページを除く出力を行い、かつ当該コンテンツを出力する処理（袋とじ破り処理）を実行する。なお、袋とじ破り処理の詳細については後述する。その後、ステップＳ３０２に戻る。
【０１６３】
図４は、上記ステップＳ３０５の取得処理の詳細を示すフローチャートである。
【０１６４】
（ステップＳ４０１）取得部１２４は、当該マーカーに対応するコンテンツを取得する。
【０１６５】
詳しくは、取得部１２４は、例えば、当該マーカーのマーカーＩＤと、電子袋とじ処理装置１自身の端末ＩＤとを有する要求をサーバ装置２に送信する。サーバ装置２は、この要求を受信し、当該マーカーＩＤに対応するコンテンツを、当該端末ＩＤに対応する電子袋とじ処理装置１に送信する。取得部１２４は、こうしてサーバ装置２から送信されたコンテンツを受信することで、当該マーカーに対応するコンテンツを取得することができる。
【０１６６】
（ステップＳ４０２）取得部１２４は、当該コンテンツに対応する隠蔽ページを取得する。
【０１６７】
詳しくは、取得部１２４は、例えば、当該コンテンツのコンテンツＩＤと、電子袋とじ処理装置１自身の端末ＩＤ（またはアプリＩＤ）とを有する要求をサーバ装置２に送信する。サーバ装置２は、この要求を受信し、当該コンテンツＩＤに対応する隠蔽ページを、当該端末ＩＤに対応する電子袋とじ処理装置１に送信する。取得部１２４は、こうしてサーバ装置２から送信された隠蔽ページを受信することで、当該コンテンツに対応する隠蔽ページを取得することができる。
【０１６８】
（ステップＳ４０３）取得部１２４は、当該コンテンツまたは当該隠蔽ページに対応する音情報を取得する。
【０１６９】
詳しくは、取得部１２４は、例えば、当該コンテンツのコンテンツＩＤまたは当該隠蔽ページの隠蔽ページＩＤと、電子袋とじ処理装置１自身の端末ＩＤ（またはアプリＩＤ）とを有する要求をサーバ装置２に送信する。サーバ装置２は、この要求を受信し、当該コンテンツＩＤまたは当該隠蔽ページの隠蔽ページＩＤに対応する音情報を、当該端末ＩＤに対応する電子袋とじ処理装置１に送信する。取得部１２４は、こうしてサーバ装置２から送信された音情報を受信することで、当該コンテンツまたは当該隠蔽ページの隠蔽ページＩＤに対応する音情報を取得することができる。
【０１７０】
（ステップＳ４０４）取得部１２４は、当該コンテンツに対応する条件を取得する。
【０１７１】
かかる条件は、例えば、隠蔽ページを取得する場合と同様の手順で、サーバ装置２から取得することができる。
【０１７２】
（ステップＳ４０５）取得部１２４は、当該コンテンツとこれに対応する隠蔽ページ等とで、例えば図７に示したようなデータ構造を有する袋とじ情報を構成する。
【０１７３】
（ステップＳ４０６）取得部１２４は、当該袋とじ情報を格納部１１に蓄積する。
【０１７４】
（ステップＳ４０７）取得部１２４は、当該袋とじ情報に対応する各種のＩＤを対応表に登録する。
【０１７５】
その後、この処理は、図３のフローチャートにリターンする。
【０１７６】
図５は、上記ステップＳ３０８の袋とじチラ見処理の詳細を示すフローチャートである。
【０１７７】
（ステップＳ５０１）袋とじ破り処理部１２２は、検知部１２７が検知した傾きの変化に応じて、隠蔽ページを変形（および回転）させる出力を行う。
【０１７８】
これによって、例えば、隠蔽ページの全体的な湾曲や、袋とじの開口部（ページの天地）に相当する部分のめくれなどが生じる。かかる出力制御は公知であり、説明を省略する。
【０１７９】
（ステップＳ５０２）袋とじ破り処理部１２２は、当該コンテンツの一部を出力する。
【０１８０】
詳しくは、例えば、上記のような湾曲やめくれによってできる袋とじの隙間から、コンテンツが部分的に露見するように、当該コンテンツの一部、つまり当該隙間に対応する部分を出力する。
【０１８１】
その後、図３のフローチャートにリターンする。
【０１８２】
図６は、上記ステップＳ３１０の袋とじ破り処理の詳細を示すフローチャートである。
【０１８３】
（ステップＳ６０１）袋とじ破り処理部１２２は、当該コンテンツの出力済み回数（図８参照）が、当該コンテンツに対応する条件（図７参照）を満たすか否かを判別する。
【０１８４】
例えば、当該コンテンツに対応付いた条件が“本日の出力済み回数が２回未満である”場合、当該コンテンツの本日の出力済み回数が、０回または１回であれば条件を満たすと判別され、２回以上であれば条件を満たさないと判別される。
【０１８５】
当該コンテンツの出力済み回数が当該コンテンツに対応する条件を満たすと判別された場合はステップステップＳ６０２に進み、満たさないと判別された場合は図３のフローチャートにリターンする。
【０１８６】
（ステップＳ６０２）袋とじ破り処理部１２２は、隠蔽ページを除く（例えば、隠蔽ページが裂けていく）出力を行う。かかる出力制御は公知であり、説明を省略する。
【０１８７】
（ステップＳ６０３）袋とじ破り処理部１２２は、当該コンテンツまたは当該隠蔽ページに対応する音情報を基に、袋とじを破る音を出力する。
【０１８８】
（ステップＳ６０４）袋とじ破り処理部１２２は、当該コンテンツを出力する。これによって、ディスプレイ上でコンテンツの全体が露見した状態になる。
【０１８９】
（ステップＳ６０５）袋とじ破り処理部１２２は、当該コンテンツの出力済み回数をカウントアップする。
【０１９０】
その後、図３のフローチャートにリターンする。
【０１９１】
なお、図４のフローチャートにおいて、既存の隠蔽ページや既存の音情報や既存の条件を流用する場合は、ステップＳ４０２〜Ｓ４０４は省略されてよい。
【０１９２】
また、ステップＳ４０２〜Ｓ４０４は、ステップＳ４０１と一体的に実行されてもよい。すなわち、ステップＳ４０１でコンテンツを取得する際に、隠蔽ページや音情報や条件を当該コンテンツと対にして（一括的に）取得してもよい。
【０１９３】
また、図５のフローチャートにおいて、ステップＳ５０１の出力と、ステップＳ５０２の出力とは、並列的に（または時分割で）実行されてもよい。これにより、袋とじの隙間が開いていくにつれて、コンテンツの露見する部分が多くなっていくので、電子的な袋とじチラ見の現実感が高まる。
【０１９４】
同様に、図６のフローチャートにおいて、ステップＳ６０２の出力と、ステップＳ６０３の音出力と、ステップＳ６０４のコンテンツ出力とは、並列的に（または時分割で）実行されてもよい。これにより、例えば、袋とじが裂けていくにつれて、紙の破れる音が出力され、コンテンツの露見する部分が多くなっていくので、電子的な袋とじ破りの現実感が高まる。
【０１９５】
また、図３〜図６のフローチャートに従う処理は、サーバ装置２側の主導で行われるようにしてもよい。すなわち、サーバ処理部２２が、電子袋とじ処理装置１（スマートフォン等の携帯端末）のハードウェア（１０１〜１０９）を利用して、上記と同様の処理を実現するような構成も可能である。または、上記と同様の処理を、サーバ装置２と１以上の電子袋とじ処理装置１とで、分散して実行するような構成も可能である。
【０１９６】
以下、本実施の形態における情報処理システムの具体的な動作について、図９および図１０の出力例を用いて説明する。なお、この具体例は本発明を何ら限定するものではなく、また、以下で挙げる条件や数値等は適宜変更可能であることは言うまでもない。
【０１９７】
情報処理システムの概念図は図１である。サーバ装置２は、この具体例では、書籍の出版社、またはその出版社から依頼を受けたシステム開発会社やコンテンツ制作会社等によって管理される。電子袋とじ処理装置１は、電子袋とじ処理装置１用のソフトウェアをインストールした、書籍の読者が保有するスマートフォンやタブレット端末である。電子袋とじ処理装置１用のソフトウェアは、サーバ装置２からダウンロード可能である。
【０１９８】
書籍は、マーカーＭ１が印刷されたページと、マーカーＭ２が印刷されたページを有する。書籍は、マーカーＭ１，Ｍ２を介して、隠蔽ページＨ１，Ｈ２ａ，Ｈ２ｂによって隠蔽された（未出力状態に保たれた）コンテンツＣ１，Ｃ２ａ，Ｃ２ｂ，…に関連付いている。コンテンツＣ１，Ｃ２ａ，Ｃ２ｂ，…と隠蔽ページＨ１，Ｈ２ａ，Ｈ２ｂ，…等とを有する袋とじ情報のデータ構造（対応表）は、図７に示されている。
【０１９９】
コンテンツＣ１は、あるタレントの動画であり、コンテンツＣ２ａ，Ｃ２ｂ，…は、そのタレントの写真（静止画）である。
【０２００】
コンテンツＣ１に対応付いた隠蔽ページＨ１は、縦縞模様の画像であり、コンテンツＣ２ａに対応付いた隠蔽ページＨ２ａは、格子模様の画像であり、コンテンツＣ２ｂに対応付いた隠蔽ページＨ２ｂは、隠蔽ページＨ２ａと同一の画像である。
【０２０１】
コンテンツＣ１に対応付いた音情報Ｍ１は、紙を破る音の情報であり、コンテンツＣ２ａに対応付いた音情報Ｍ２ａは、紙をはさみで切る音の情報であり、コンテンツＣ２ｂに対応付いた音情報Ｍ２ｂは、音情報Ｍ２ａと同一の情報である。
【０２０２】
コンテンツＣ１に対応付いた条件Ｎ１は“出力済み回数が４回未満である（１日に３回まで）”であり、コンテンツＣ２ａに対応付いた条件Ｎ２ａは“出力済み回数が２回未満である（１日に１回だけ）”であり、コンテンツＣ２ｂに対応付いた条件Ｎ２ｂは、条件Ｎ２ａと同一の条件である。
【０２０３】
タレントの動画や静止画を見たい読者は、書籍を購入し、電子袋とじ処理装置１を利用して上記ページを撮影する。コンテンツＣ１，Ｃ２ａ，Ｃ２ｂは、いずれも未取得である。
【０２０４】
ソフトウェアを起動すると、撮影部１２３が撮影を開始し、検知部１２７が傾きの変化の検知を開始する。処理部１２は、撮影されたページをディプレイに出力し、撮影されたページの少なくとも一部の画像がマーカーＭ１，Ｍ２のいずれかと一致するか否かを判別する。
【０２０５】
ここでは、読者がマーカーＭ１の印刷されたページを撮影し、撮影された画像がマーカーＭ１と一致したとする。この場合、処理部１２は、マーカーＭ１に対応するコンテンツが取得済みか否かを、対応表（図７参照）を基に判別する。
【０２０６】
マーカーＭ１に対応するコンテンツＣ１は未取得であるため、取得部１２４が、コンテンツＣ１、コンテンツＣ１に対応する隠蔽ページＨ１、コンテンツＣ１または隠蔽ページＨ１に対応する音情報Ｍ１、およびコンテンツＣ１に対応する条件Ｎ１を取得する。取得部１２４が取得したコンテンツＣ１、隠蔽ページＨ１等は、格納部１１に蓄積され、取得部１２４は、それらのＩＤ“Ｃ１”，“Ｈ１”，“Ｍ１”，“Ｎ１”を対応表に登録する。
【０２０７】
その後、袋とじ破り処理部１２２が、撮影されたページに重ねて、コンテンツＣ１に対応する隠蔽ページＨ１をディプレイに出力する。
【０２０８】
他方、処理部１２は、検知部１２７が傾きの変化を検知したか否かの判別を繰り返し行っている。読者が、電子袋とじの中をチラ見するべく、電子袋とじ処理装置１の向きを変えたとすると、検知部１２７が傾きの変化を検知し、袋とじチラ見処理部１２８は、隠蔽ページＨ１を変形させる出力を行う。
【０２０９】
これによって、例えば、図１０に示されるように、隠蔽ページＨ１の全体的な湾曲が生じる。袋とじ破り処理部１２２は、かかる湾曲によってできる袋とじの隙間から、コンテンツＣ１が部分的に露見するように、当該コンテンツの当該隙間に対応する部分を出力する。図１０の例では、タレントの顎から下の部分が露見している。かかるチラ見は、読者が電子袋とじ処理装置１の向きを元に戻すと終了される。
【０２１０】
また、処理部１２は、受付部１２１が袋とじを破る操作を受け付けたか否かの判別も繰り返し行っている。袋とじを破る操作とは、この具体例では、隠蔽ページＨ１のミシン目をなぞる操作である。
【０２１１】
読者が指やペン先で隠蔽ページＨ１のミシン目をなぞる操作を行うと、受付部１２１は、タッチパネルを介して当該操作を受け付け、袋とじ破り処理部１２２は、コンテンツＣ１の出力済み回数が、コンテンツＣ１に対応する条件Ｎ１を満たすか否かを判別する。
【０２１２】
ここでは、条件Ｎ１が“出力済み回数が４回未満である”一方、コンテンツＣ１の出力済み回数が０回なので、コンテンツＣ１の出力済み回数は条件Ｎ１を満たすと判別され、袋とじ破り処理部１２２は、例えば、図９（Ａ）および図９（Ｂ）に示すように、隠蔽ページＨ１がミシン目に沿って裂けていく出力を行う。
【０２１３】
また、袋とじ破り処理部１２２は、上記のような隠蔽ページＨ１がミシン目に沿って裂けていく出力を行いつつ、音情報Ｍ１を基に、袋とじを破る音を出力する。
【０２１４】
また、袋とじ破り処理部１２２は、上記のような隠蔽ページＨ１がミシン目に沿って裂けていく出力を行いつつ、隠蔽ページＨ１の裂け目からコンテンツが徐々に露見していくように出力し、隠蔽ページＨ１を除き終えた後は、コンテンツの全部を出力する。これによって、例えば、図９（Ｃ）に示すように、ディスプレイ上でコンテンツＣ１の全体が露見した状態になる。その後、袋とじ破り処理部１２２は、コンテンツＣ１の出力済み回数を“１”にカウントアップする。
【０２１５】
上記のような、コンテンツＣ１に関する袋とじ破りは、コンテンツＣ１の出力済み回数と条件Ｎ１とを基に、１日に３回まで行える。そして、２回目，３回目の袋とじ破りでは、コンテンツＣ１等は取得済みであるため、既存のコンテンツＣ１等が流用される。
【０２１６】
次に、読者がマーカーＭ２の印刷されたページを撮影し、撮影された画像がマーカーＭ２と一致したとする。この場合、処理部１２は、マーカーＭ２に対応するコンテンツが取得済みか否かを、対応表を基に判別する。
【０２１７】
マーカーＭ２に対応するコンテンツＣ２ａ，Ｃ２ｂはいずれも未取得であるため、取得部１２４が、いずれか１つのコンテンツ、ここではコンテンツＣ２ａ、コンテンツＣ２ａに対応する隠蔽ページＨ２ａ、コンテンツＣ２ａまたは隠蔽ページＨ２ａに対応する音情報Ｍ２ａ、およびコンテンツＣ２ａに対応する条件Ｎ２ａを取得する。取得部１２４が取得したコンテンツＣ２ａ、隠蔽ページＨ２ａ等は、格納部１１に蓄積され、取得部１２４は、それらのＩＤ“Ｃ２ａ”，“Ｈ２ａ”，“Ｍ２ａ”，“Ｎ２ａ”を対応表に登録する。
【０２１８】
その後、袋とじ破り処理部１２２が、撮影されたページに重ねて、コンテンツＣ２ａに対応する隠蔽ページＨ２ａをディプレイに出力する。
【０２１９】
これに続く、コンテンツＣ２ａに関する袋とじチラ見処理および袋とじ破り処理は、前述したコンテンツＣ１ａに関するものと同様である。袋とじ破り処理の後、袋とじ破り処理部１２２は、コンテンツＣ２ａの出力済み回数を“１”にカウントアップする。
【０２２０】
次に、読者がマーカーＭ２の印刷されたページを再び撮影し、撮影された画像がマーカーＭ２と一致したとする。この場合、処理部１２は、マーカーＭ２に対応するコンテンツが取得済みか否かを、対応表を基に判別する。
【０２２１】
マーカーＭ２に対応するコンテンツＣ２ａ，Ｃ２ｂのうち、前者は取得済み、後者は未取得であるため、取得部１２４がコンテンツＣ２ｂを取得する。コンテンツＣ２ｂに対応する隠蔽ページ（Ｈ２ｂ）と、コンテンツＣ２ｂ（または隠蔽ページＨ２ｂ）に対応する音情報（Ｍ２ｂ）と、コンテンツＣ２ｂに対応する条件（Ｎ２ｂ）とは、それぞれ、隠蔽ページＨ２ａ、音情報Ｍ２ａ、条件Ｎ２ａと同一であるため、取得しなくてよい。取得部１２４が取得したコンテンツＣ２ａは、格納部１１に蓄積され、取得部１２４は、それらのＩＤ“Ｃ２ｂ”，“Ｈ２ａ”，“Ｍ２ａ”，“Ｎ２ａ”を対応表に登録する。
【０２２２】
その後、袋とじ破り処理部１２２が、撮影されたページに重ねて、コンテンツＣ２ｂに対応する隠蔽ページＨ２ａ、つまり、前回マーカーＭ２を撮影した時と同じ格子模様の隠蔽ページをディプレイに出力する。
【０２２３】
これに続く、コンテンツＣ２ｂに関する袋とじチラ見処理および袋とじ破り処理は、前述したコンテンツＣ１ａに関するものと同様である。袋とじ破り処理の後、袋とじ破り処理部１２２は、コンテンツＣ２ｂの出力済み回数を“１”にカウントアップする。
【０２２４】
従って、マーカーＭ２を撮影して袋とじ破りを行う度に、前回とは異なるコンテンツが出力される結果となる。ただし、１つ１つのコンテンツに関する袋とじ破りは、１日に１回までしか行えない。
【０２２５】
以上のように、本実施の形態によれば、電子的な袋とじに関する情報であり、出力されるコンテンツと、コンテンツの全部または一部を隠蔽する隠蔽ページとを有する袋とじ情報を格納し得る格納部１１と、隠蔽ページを出力する出力部と、電子的な袋とじを破るための操作を受け付ける受付部１２１と、操作の受け付けに応じて、隠蔽ページを除く出力を行い、かつコンテンツを出力する袋とじ破り処理を実行する袋とじ破り処理部１２２とを具備する電子袋とじ処理装置１により、電子的な袋とじを破る処理を行うことで、電子的な袋とじを実現することができる。
【０２２６】
また、上記電子袋とじ処理装置１において、書籍のページの少なくとも一部を撮影する撮影部１２３と、撮影部１２３が撮影したページの少なくとも一部の画像に対応するコンテンツを取得する取得部１２４とをさらに具備し、袋とじ破り処理部１２２は、撮影部１２３が撮影したページの少なくとも一部に隠蔽ページを重ね合わせて出力した後、操作に応じて袋とじ破り処理を実行することにより、書籍のページを撮影すると、撮影されたページの少なくとも一部の画像に対応するコンテンツが取得されるので、例えば、撮影されたページの少なくとも一部にコンテンツを重ね合わせて出力するＡＲ技術を使用して、電子的な袋とじ破り処理が行える。
【０２２７】
また、上記電子袋とじ処理装置１において、書籍は電子書籍であり、袋とじ情報は電子書籍を構成する情報であることにより、袋とじ情報を有する電子書籍において、電子的な袋とじを破る処理が行える。
【０２２８】
また、上記電子袋とじ処理装置１において、取得部１２４は、２以上のコンテンツから１つのコンテンツを取得することにより、電子的な袋とじを破る度に異なるコンテンツを出力できるので、電子的な袋とじを破る楽しみが増す。
【０２２９】
また、上記電子袋とじ処理装置１において、操作に応じて、隠蔽ページを除く出力に対応した音を出力する音出力部１２５をさらに具備することにより、音出力によって、電子的な袋とじを破る現実感が高まる。
【０２３０】
また、上記電子袋とじ処理装置１において、取得部は、音を出力するための音情報をコンテンツと対に取得することにより、袋とじを破る音を変えることで、新鮮味が増す。
【０２３１】
また、上記電子袋とじ処理装置１において、隠蔽ページを除く出力は、操作に応じて隠蔽ページが裂けていく出力であることにより、電子的な袋とじを破る現実感が高まる。
【０２３２】
また、上記電子袋とじ処理装置１において、受付部１２１は、一の袋とじ情報に対して、操作を複数回受け付け、袋とじ破り処理部１２２は、操作の受け付けの度に袋とじ破り処理を実行することにより、電子的な袋とじを何度も破ることができる。
【０２３３】
また、上記電子袋とじ処理装置１において、袋とじ破り処理部１２２は、袋とじ破り処理を実行した後、操作の受け付けに応じて隠蔽ページを再度出力することにより、電子的な袋とじを何度も破ることができる。
【０２３４】
また、上記電子袋とじ処理装置１において、袋とじ破り処理部１２２がコンテンツを出力した回数を示す出力済み回数を計数する計数部１２６をさらに具備し、袋とじ破り処理部１２２は、出力済み回数が予め決められた条件を満たす場合に袋とじ破り処理を実行することにより、電子的な袋とじを破ける回数を、例えば“１日に１回だけ”、“１週に３回まで”、“通算１０回まで”などのように制限できる。
【０２３５】
また、上記電子袋とじ処理装置１において、出力済み回数は、１日にコンテンツを出力した回数を示すことにより、電子的な袋とじを破ける回数を、例えば“１日に１回だけ”、“１日に２回まで”などのように制限できる。
【０２３６】
また、上記電子袋とじ処理装置１において、傾きの変化を検知する検知部１２７と、検知部１２７が検知した傾きの変化に応じて、隠蔽ページを変形させる出力を行い、かつコンテンツの少なくとも一部を出力する袋とじチラ見処理を実行する袋とじチラ見処理部１２８とをさらに具備することにより、例えば電子袋とじ処理装置１を傾けると、隠蔽ページが変形してコンテンツの少なくとも一部が出力されるので、コンテンツのチラ見が可能になり、高い現実感が得られる。
【０２３７】
また、上記電子袋とじ処理装置１において、操作は、隠蔽ページを線状になぞる操作であることにより、隠蔽ページを所定の線、例えばミシン目に沿ってなぞると、隠蔽ページがミシン目で裂けていく出力が行われるので、電子的な袋とじを破る現実感が高まる。
【０２３８】
さらに、本実施の形態における処理は、ソフトウェアで実現してもよい。そして、このソフトウェアをソフトウェアダウンロード等により配布してもよい。また、このソフトウェアをメモリカードなどの記録媒体に記録して流布してもよい。なお、本実施の形態における情報処理装置を実現するソフトウェアは、以下のようなプログラムである。つまり、このプログラムは、コンピュータを、電子的な袋とじに関する情報であり、出力されるコンテンツと、コンテンツの全部または一部を隠蔽する隠蔽ページとを有する袋とじ情報を格納し得る格納部１１と、隠蔽ページを出力する出力部と、電子的な袋とじを破るための操作を受け付ける受付部１２１と、操作の受け付けに応じて、隠蔽ページを除く出力を行い、かつコンテンツを出力する袋とじ破り処理を実行する袋とじ破り処理部１２２として機能させるプログラムである。
【０２３９】
なお、上記プログラムにおいて、ハードウェアでしか行われない処理、例えば、撮像素子１０１による光電変換などの処理は含まれない。
【０２４０】
また、上記プログラムを実行するコンピュータは、単数であってもよく、複数であってもよい。すなわち、集中処理を行ってもよく、あるいは分散処理を行ってもよい。
【０２４１】
また、上記各実施の形態において、各処理（各機能）は、単一の装置（システム）によって集中処理されることによって実現されてもよく、あるいは、複数の装置によって分散処理されることによって実現されてもよい。
【０２４２】
本発明は、以上の実施の形態に限定されることなく、種々の変更が可能であり、それらも本発明の範囲内に包含されるものであることは言うまでもない。
【産業上の利用可能性】
【０２４３】
以上のように、本発明にかかる電子袋とじ処理装置等は、電子的な袋とじを破る処理を行うことで、電子的な袋とじを実現することができるという効果を有し、電子袋とじ処理装置等として有用である。
【符号の説明】
【０２４４】
１  電子袋とじ処理装置
２  サーバ装置
１１  格納部
１２  処理部
２１  サーバ格納部
２２  サーバ処理部
１２０  出力部
１２１  受付部
１２２  袋とじ破り処理部
１２３  撮影部
１２４  取得部
１２５  音出力部
１２６  計数部
１２７  検知部
１２８  袋とじチラ見処理部
【図１】
2017130034.tif 000003
【図２】
2017130034.tif 000004
【図３】
2017130034.tif 000005
【図４】
2017130034.tif 000006
【図５】
2017130034.tif 000007
【図６】
2017130034.tif 000008
【図７】
2017130034.tif 000009
【図８】
2017130034.tif 000010
【図９】
2017130034.tif 000011
【図１０】
2017130034.tif 000012